(57)【要約】      （修正有）【課題】滑り止め部材の回転を確実に防止して、回し掛けた帯状衣類を保持することができる掛止桟及びハンガーを提供する。【解決手段】長手方向を有する横長のロッド部と、ロッド部を覆う滑り止め部材とからなる。ロッド部は、いずれも長手方向にかけて、上面を湾曲形状にした曲面部と、下面から内方に向けた溝部と、下面であって溝部の両側を平面形状にした平面部と、を有している。滑り止め部材は、樹脂製のものであって、曲面部を覆う掛け部と、平面部を覆う引っ掛け部と、溝部に嵌り込む内面保持部と、を有している。平面部及び内面保持部により滑り止め部材の回転を確実に防止して、回し掛けた帯状衣類３０を保持することができる。【選択図】図１
2019195513.tif 000002
【特許請求の範囲】
【請求項１】
長手方向を有する横長のロッド部と、該ロッド部を覆う滑り止め部材とからなり、
前記ロッド部は、いずれも長手方向にかけて、上面を湾曲形状にした曲面部と、下面から内方に向けた溝部と、下面であって前記溝部の両側を平面形状にした平面部と、を有し、
前記滑り止め部材は、樹脂製のものであって、前記曲面部を覆う掛け部と、前記平面部を覆う引っ掛け部と、前記溝部に嵌り込む内面保持部と、を有することを特徴とする掛止桟。
【請求項２】
内面保持部は、溝部の内面に沿い全周を覆うものであり、該溝部の長手方向に複数並ぶことを特徴とする請求項１に記載の掛止桟。
【請求項３】
ロッド部は、平面部に並ぶ複数の凹部を有し、
滑り止め部材は、前記凹部に嵌り込む突起を有することを特徴とする請求項１または２のいずれかに記載の掛止桟。
【請求項４】
請求項１、２または３のいずれかに記載の掛止桟を用いたハンガー。
【発明の詳細な説明】
【技術分野】
【０００１】
本発明は、ズボンやマフラー、スカーフなどの帯状衣類を回し掛けて保持する掛止桟及びこれを用いたハンガーに関し、掛けた帯状衣類の滑り落ちを防止することができる構造にかかる発明である。
【背景技術】
【０００２】
主として、ズボンなどの帯状衣類を回し掛けて保持するハンガーは従来から提案されている。特許文献１には、横長板状の支軸を棒状のスポンジで被覆して、衣服ハンガーのズボン掛け部を形成し、支軸の板面により棒状のスポンジを回ることなく固定する構造が開示されている。
【先行技術文献】
【特許文献】
【０００３】
【特許文献１】特開平１１−８９６９８号公報
【発明の概要】
【発明が解決しようとする課題】
【０００４】
特許文献１に記載の衣類ハンガーは、支軸に形成した平面だけではスポンジを十分に固定することができず、スポンジが回転することがあった。
【０００５】
そこで、滑り止め部材の回転を確実に防止して帯状衣類を保持することができるハンガー（掛止桟）が望まれていた。
【課題を解決するための手段】
【０００６】
本発明の掛止桟は、上記課題に鑑み、長手方向を有する横長のロッド部と、該ロッド部を覆う滑り止め部材とからなり、前記ロッド部は、いずれも長手方向にかけて、上面を湾曲形状にした曲面部と、下面から内方に向けた溝部と、下面であって前記溝部の両側を平面形状にした平面部と、を有し、前記滑り止め部材は、樹脂製のものであって、前記曲面部を覆う掛け部と、前記平面部を覆う引っ掛け部と、前記溝部に嵌り込む内面保持部と、を有することを特徴とする。
【０００７】
また、内面保持部は、溝部の内面に沿い全周を覆うものであり、該溝部の長手方向に複数並ぶことが好ましい。
【０００８】
また、ロッド部は、平面部に並ぶ複数の凹部を有し、滑り止め部材は、前記凹部に嵌り込む突起を有することが好ましい。
【０００９】
本発明のハンガーは、前述の掛止桟を用いたことを特徴とする。
【発明の効果】
【００１０】
請求項１記載の発明は、滑り止め部材の表面摩擦により、滑り止め部材に回し掛けられた帯状衣類の滑り落ちを防止することができる。さらに、内面保持部が面接触して溝部に嵌合し、引っ掛け部がその両側の角に沿って接触することで、滑り止め部材の位置ずれを防止して、掛け回した帯状衣類などによる滑り止め部材の回転（曲面部のずれ）を確実に防止することができる。
【００１１】
請求項２記載の発明は、滑り止め部材を筒形状（ループ形状）とし、ロッド部の溝部の内面を含む全周に密着する。これにより、滑り止め部材の回転を防止することができるとともに、滑り止め部材が容易にロッド部から外れないようにすることができる。
【００１２】
請求項３記載の発明は、突起が凹部に嵌り込むことで、引っ掛け部を平面部に強固に位置決め・取り付けることができる。
【００１３】
請求項４記載の発明は、滑り止め部材の回転を確実に防止して、掛止桟に帯状衣類を掛け回すことができる。
【図面の簡単な説明】
【００１４】
【図１】本発明の実施形態に係るハンガーの使用状態の斜視図である。
【図２】図１の掛止桟に関し、（ａ）が底面図であり、（ｂ）が斜視図である。
【図３】図２のロッド部の斜視図である。
【図４】図２（ａ）の掛止桟のＡ−Ａ線拡大端面図である。
【図５】図２（ａ）の掛止桟のＢ−Ｂ線拡大端面図である。
【図６】図２（ａ）の掛止桟のＣ−Ｃ線拡大端面図である。
【発明を実施するための形態】
【００１５】
本発明の実施形態について、図面に基づいて詳細に説明する。本実施例に関し、図１の左右を本実施形態の左右とし、上方を前方、下方を後方として説明する。なお、図４〜６は奥行きを省略した端面図としている。
【００１６】
本実施形態のハンガーは、図１に示すように、フック３を有するハンガー本体１と、帯状衣類３０を回し掛ける長手方向を有する横長で棒状の掛止桟２とからなる。ハンガーは、掛止桟２にズボンやマフラー、スカーフなどの帯状衣類３０を掛けて、ハンガー掛けなどにフック３を引っ掛けることで使用される。
【００１７】
ハンガー本体１は、横長の角棒形状であり、長手方向の中央から上方にフック３が突出し、その長手方向の両端から下方に取付部４が突出している。取付部４の下端部には掛止桟２を固定・保持するための爪５を有している。
【００１８】
掛止桟２は、図２に示すように、長手方向（棒軸方向）の両端部に爪５を嵌め込む嵌合部８（貫通孔）を有し、これによって掛止桟２をハンガー本体１の下方に横架することができる。そして、掛止桟２の両側の嵌合部８の内側が、帯状衣類３０を回し掛ける帯掛け領域Ｌ１としている。
【００１９】
掛止桟２は、嵌合部８を両側端に有する横長のロッド部６と、ロッド部６の表面を覆う滑り止め部材７とからなり、滑り止め部材７は、帯掛け領域Ｌ１で長手方向にかけて位置している。滑り止め部材７は樹脂製であり、この表面摩擦により、滑り止め部材７に回し掛けられた帯状衣類３０の滑り落ちを防止する。
【００２０】
掛止桟２を構成するロッド部６について説明する。図３、４に示すように、ロッド部６は、ＡＢＳ樹脂などの硬質な樹脂からなる。ロッド部６は、帯状衣類３０を掛ける上面を曲面形状、湾曲形状とした曲面部１０と、湾曲形状の下端であり、下側の平面部９、９とからなる。
【００２１】
図４に示すように、ロッド部６の断面形状は、曲面部１０は単なる半円形状ではなく、その円周下端は棒軸（曲面部１０の軸心）よりも下方に位置する。つまり、曲面部１０は、下方にむけた略Ｃ字型形状を有する。平面部９、９は曲面部１０の両円周下端から内方にかけて所定の幅を有する平面形状で、例えば水平面である。掛止桟２のロッド部６は、曲面部１０から平面部９、９（平らな表面）を有することにより、滑り止め部材７が引っ掛かり、その滑り（回転）を抑制している。
【００２２】
また、ロッド部６は、両平面部９、９間から内方に抉れるように開口する溝部１１を有し、この溝部１１は長手方向に長尺で帯掛け領域Ｌ１よりも両側に突出している。
【００２３】
溝部１１は下向きＵ字形状とし、前後に対向する２つの内側面１２、１２と、溝底面１３とからなる。溝底面１３はロッド部６の棒軸と同心で上方に凹む円弧形状とし、内側面１２、１２は平面部９に直交する平面形状、例えば垂直面（鉛直面）としている。
【００２４】
次に、ロッド部６を覆う滑り止め部材７について説明する。図２、図５に示すように、滑り止め部材７は、曲面部１０を覆う掛け部１４と、平面部９を覆う引っ掛け部１５と、溝部１１に嵌り込む内面保持部１６とからなる。滑り止め部材７は、柔軟な素材からなり、例えばオレフィン系熱可塑性エラストマー樹脂（ミラストマー樹脂）からなる。
【００２５】
図５に示すように、内面保持部１６は、溝部１１の内面全周を覆うＵ字の板形状からなる。すなわち、内面保持部１６は、引っ掛け部１５の前後内端から垂直に起立して溝部１１の内側面１２、１２それぞれを覆う平板形状の側壁部１７、１７と、側壁部１７、１７の上端間を接続して溝底面１３を覆う円弧形状の内面湾曲部１８とからなる。
【００２６】
図２に示すように、ロッド部６の帯掛け領域Ｌ１において、滑り止め部材７の掛け部１４と引っ掛け部１５が長手方向にかけて成型されるものであるが、内面保持部１６、１６は長手方向にかけて全てに成型する必要はなく、部分的に形成するものでよい。本実施形態においては、等間隔で５つ有している。
【００２７】
滑り止め部材７は、ロッド部６の溝底面１３及び両内側面１２、１２に内面保持部１６が面接触して溝部１１に嵌合し、引っ掛け部１５がその両側の角に沿って接触することで、位置ずれを防止して、掛け回した帯状衣類３０などによる滑り止め部材７の回転（曲面部１０のずれ）を確実に防止することができる。
【００２８】
滑り止め部材７は、掛け部１４、引っ掛け部１５及び内面保持部１６からなる筒形状（ループ形状）とし、ロッド部６の溝部１１の内面を含む全周に密着している。これにより、滑り止め部材７の回転を防止することができるとともに、滑り止め部材７が容易にロッド部６から外れないようにしている。
【００２９】
また、滑り止め部材７の内面保持部１６は、ロッド部６の両内側面１２、１２に対応する側壁部１７、１７が成形され、その側壁部１７、１７間に隙間を生じさせている。このように隙間を生じさせたり、上述の内面保持部１６を所定の間隔で配置することにより、原材料を少なくして製造コストを抑えることができる。
【００３０】
ロッド部６は、平面部９、９の適宜位置に円形状の凹部１９、１９が複数成形される。この凹部１９、１９には、引っ掛け部１５から上方に突出した突起２１、２１が嵌り込む。この突起２１、２１により、滑り止め部材７がずれたりすることを防止することができる。
【００３１】
次に、本発明の掛止桟２の製造方法について説明する。掛止桟２は、金型に樹脂材料を入れてロッド部６を樹脂成形した後、製造したロッド部６をベースパーツとして滑り止め部材７を追加成形する二色成形により形成される。二色成形により形成することで、ロッド部６に滑り止め部材７を強固に取り付けることができ、確実に滑り止め部材７の回転を防止することができる。
【００３２】
この二色成形することにより、ロッド部６に安定して滑り止め部材７を成形することができるとともに、突起２１、２１を凹部１９、１９に嵌まり込むように成形することができる。引っ掛け部１５を平面部９に強固に位置決め・取り付けることができ、回転を防止した滑り止め部材７を簡単な工程で設けることができる。さらに、内面保持部１６を所定の間隔で配置することにより、離型用のスペースを確保することができる。
【符号の説明】
【００３３】
１…ハンガー本体、２…掛止桟、３…フック、６…ロッド部、７…滑り止め部材、９…平面部、１０…曲面部、１１…溝部、１４…掛け部、１５…引っ掛け部、１６…内面保持部、１９…凹部、２１…突起、３０…帯状衣類。
【図１】
2019195513.tif 000003
【図２】
2019195513.tif 000004
【図３】
2019195513.tif 000005
【図４】
2019195513.tif 000006
【図５】
2019195513.tif 000007
【図６】
2019195513.tif 000008